(57)【要約】      （修正有）【課題】箸使いに不慣れの外国人等や上手く掴めないといった不得意な人でも練習なしで箸さばきが随意にできる構造の箸を提供する。【解決手段】箸本体１の長手方向の上面に、先端先細り部位２として、前記箸本体１の先端から適宜長さの部位に約２０度程度の仰角を設け、前記箸本体１の箸を握る部位の元部側の端部の上面に、硬質プラスチック等適宜素材の谷折りした形状の蝶番３の両端がそれぞれ連結され、前記蝶番３が箸の可動の支えになり的確で随意な作動ができる。【選択図】図１
0003203821.tif 000002
【実用新案登録請求の範囲】
【請求項１】
箸本体の長手方向の下方両先端先細り部位に約２０度程度の仰角を設ける。これにより形状不形の食べ物を抑える接地面、圧点が増え掴む掬う挟むといった一連の動作はラフな指さばきでも随意にできる。
【請求項２】
箸を握る上方に谷折り形状した蝶番が箸の本体長手方向上面に連結される。これが可動部箸の支点になり円弧開閉はラフな指さばきでも力を入れないで的確で随意な作動ができる。
【考案の詳細な説明】
【技術分野】
【０００１】
箸使い不慣れの外国人等や上手く掴めないといった不得意な人でも練習なしで箸さばきが容易にできる構造の箸である。
【背景技術】
【０００２】
和食を食べる箸に不慣れの外人等観光客、不慣れの箸使いの人達用の練習箸や一部指の障害者用の箸は有るものもピンセット方式でただ単純挟むといった機能で自然体に使用しづらいなど不具合があり和食文化を容易に楽しめない。
【先行技術文献】
【特許文献】
【０００３】
【特許文献１】特開２００４−２１６０８８
【考案の概要】
【考案が解決しようとする課題】
【０００４】
考案が解決しようとする課題は箸の不慣れの外国人等観光客や不器用な箸さばきの人でも修復練習なしでも食べ物を掴む掬う挟むといった一連の箸動作を簡単随意に行なえるような構造の箸である。
【課題を解決するための手段】
【０００５】
本考案は、箸本体の長手方向の下方両先端先細り部位に仰角を設け、箸を握る上方に谷折り形状した蝶番が箸の本体長手方向上面に組み込まれ連結される。この構造により円弧軌跡はぶれることなく、小さな力で随意作動できる。箸の下方の仰角付先端は形状不形の食べ物がほどよい押さえの接地面や圧点が増え、小さな力で掴み挟み掬うといった一連の箸作動を練習なしで随意にでき和食を楽しむことができる構造の箸である。    
【考案の効果】
【０００６】
和食の食べ物は形状不形で箸文化のない外国人等、箸の不慣れの人たちが和食を容易に楽しんでもらう為、掴む掬う挟むといった一連の箸さばきを修復練習することなく誰でも随意にできる構造の箸である。
【図面の簡単な説明】
【０００７】
【図１】図1は箸に不慣れの外国人等が練習なしで容易に箸さばきができる箸を示す斜視図である。
【図２】図２は実際に使用した場合の参考図です。
【考案を実施するための形態】
【０００８】
ラフな指の動きでもしっかり食べ物を掴む動きをする箸さばきを得るため先端に仰角をつけ上方に蝶番をつけた。
【実施例】
【０００９】
上記目的を達成するために１、耐久性のプラスチック等適宜素材にて一体形成された箸本体は食べ物を掴み挟み込み易くなるよう圧点、接地面を増やす為、箸本体長手方向の下方両先端２、先細り部位の仰角をそれぞれ設け、箸を握る上方長手方向上面に３、硬質プラスチック等適宜素材の谷折りした形状蝶番を連結。この構造により箸下方の円弧軌跡はぶれることなく、小さな力で随意作動できる。箸の下方の仰角付先端は薄い小さく平べったい食べ物を、ほどよい押さえと接地面や圧点が増え、小さな力で掴み挟み掬うといった一連の箸さばきを練習なしで随意にでき和食を楽しむことができる構造の箸である。    
【産業上の利用可能性】
【００１０】
当箸の付属部品は小さく一見外観から目立たなく、特殊な箸に見えないので使用本人は周りを気にしないで和食文化を楽しめる。容易に和食文化が楽しめる箸は観光産業の最前線で友好的なアイテムとして飲食業、ホテル業、レストラン業など接待マナーなど進化する道具である。
【符号の説明】
【００１１】
1  箸本体
2  長手方向下方両先端先細り部位は仰角
3  谷折り形状の蝶番
【図１】
0003203821.tif 000003
【図２】
0003203821.tif 000004
【手続補正書】
【提出日】平成28年1月27日(2016.1.27)
【手続補正１】
【補正対象書類名】実用新案登録請求の範囲
【補正対象項目名】全文
【補正方法】変更
【補正の内容】
【実用新案登録請求の範囲】
【請求項１】
箸本体１の長手方向の上面に、先端先細り部位２として、前記箸本体１の先端から適宜長さの部位に約２０度程度の仰角を設け、形状不形の食べ物を抑える接地面、圧点が増え、掴む掬う挟むといった一連の動作を随意にできることを特徴とする容易に箸さばきができる箸。
【請求項２】
前記箸本体１の箸を握る部位の元部側の端部の上面に、硬質プラスチック等適宜素材の谷折りした形状の蝶番の両端がそれぞれ連結され、前記蝶番が箸の可動の支えになり的確で随意な作動ができることを特徴とする請求項１に記載の容易に箸さばきができる箸
【手続補正２】
【補正対象書類名】明細書
【補正対象項目名】全文
【補正方法】変更
【補正の内容】
【考案の詳細な説明】
【技術分野】
【０００１】  箸さばきが容易にできる箸の構造に関する。
【背景技術】
【０００２】和食を食べる箸に不慣れの外人等観光客、不慣れの箸使いの人達用の練習箸や一部指の障害者用の箸は有るものもピンセット方式でただ単純挟むといった機能で自然体に使用しづらいなど不具合があり和食文化を容易に楽しめない。箸の使い方練習用としての文献がある。（例えば特許文献１参照）
【先行技術文献】
【特許文献】
【０００３】
【特許文献１】特開２００４−２１６０８８
【考案の概要】
【考案が解決しようとする課題】
【０００４】特許文献1は練習用として考案されているものである。考案が解決しようとする課題は、箸の不慣れの外国人等観光客や不器用な箸さばきの人でも食べ物を掴む掬う挟むといった一連の箸動作を簡単随意に行なえるような構造の箸を提供する。
【課題を解決するための手段】
【０００５】上記課題を解決するため、本考案は、図1に示すように、箸本体１の長手方向の上面に、先端先細り部位２として、前記箸本体１の先端から適宜長さの部位に約２０度程度の仰角を設け、形状不形の食べ物を抑える接地面、圧点が増え、掴む掬う挟むといった一連の動作を随意にできることを特徴とする容易に箸さばきができる箸とする。また、前記箸本体１の箸を握る部位の元部側の端部の上面に、硬質プラスチック等適宜素材の谷折りした形状の蝶番の両端がそれぞれ連結され、前記蝶番が箸の可動の支えになり的確で随意な作動ができることを特徴とする容易に箸さばきができる箸とする。この構造により円弧軌跡はぶれることなく、小さな力で随意作動できる。箸の仰角付先端は形状不形の食べ物がほどよい押さえの接地面や圧点が増え、小さな力で掴み挟み掬うといった一連の箸作動を随意にでき和食を楽しむことができる。    
【考案の効果】
【０００６】本考案の機構によって、和食の食べ物は形状不形で箸文化のない外国人等、箸の不慣れの人たちが和食を容易に楽しんでもらう為、掴む掬う挟むといった一連の箸さばきを誰でも随意にできる構造の箸である。
【図面の簡単な説明】
【０００７】
【図１】本考案の斜視図である。
【図２】使用状態の説明図である。
【考案を実施するための形態】
【０００８】前記目的を達成するために、耐久性のプラスチック等適宜素材にて形成された箸本体１は、食べ物を掴み挟み込み易くなるよう圧点、接地面を増やす為、図１に示すように、箸本体長手方の上面に先端から適宜長さに仰角を設け、先端先細り部位２とする。箸を握る部位の元部側の端部の上面に、硬質プラスチック等適宜素材の谷折りした形状の蝶番の両端をそれぞれ連結する。
【０００９】この構造により箸下方の円弧軌跡はぶれることなく、小さな力で随意作動できる。箸の下方の仰角付先端は薄い小さく平べったい食べ物を、ほどよい押さえと接地面や圧点が増え、小さな力で掴み挟み掬うといった一連の箸さばきを随意にでき和食を楽しむことができる構造の箸である。    
【産業上の利用可能性】
【００１０】当箸の付属部品は小さく一見外観から目立たなく、特殊な箸に見えないので使用本人は周りを気にしないで和食文化を楽しめる。容易に和食文化が楽しめる箸は観光産業の最前線で友好的なアイテムとして飲食業、ホテル業、レストラン業など接待マナーなど進化する道具である。
【符号の説明】
【００１１】1  箸本体2  先端先細り部位3  谷折り形状の蝶番